(57)【要約】【課題】眼鏡の調整品質を向上させる。【解決手段】小売店１に眼鏡フレームの設定値の測定器具４と、レンズ度数の測定装置５とを設置し、小売店１にて、需要者２の顔の形に眼鏡をフィットさせるべく、眼鏡フレームの設定値として、左右の智の間隔、各テンプルとレンズ枠側縁部との成すテンプル取付角度、各テンプルの智への取付け位置から耳掛部までのテンプル本体長さ、各鼻パッドの上下位置、各鼻パッドの開き角度、並びに左右の鼻パッドの間隔を測定し、これら設定値と共に、需要者２の裸眼を矯正すべく測定して得られたレンズの適切度数を製造元３へ送信し、製造元３で前記各設定値と適切度数に基づき、眼鏡を作製した後、小売店１へ配送し、小売店１にて需要者２に引き渡すか、或いは、作製した眼鏡を需要者２に直接配送して、引き渡すことによって、眼鏡フレームの調整を熟練者が常駐している製造元３に集中させて、眼鏡の調整品質を向上させる【選択図】図１
2006113425.tif 000002
【特許請求の範囲】
【請求項１】
小売店に眼鏡フレームの設定値の測定器具と、レンズ度数の測定装置とを設置し、小売
店にて、需要者の顔の形に眼鏡をフィットさせるべく、眼鏡フレームの設定値として、左
右の智の間隔、各テンプルとレンズ枠側縁部との成すテンプル取付角度、各テンプルの智
への取付け位置から耳掛部までのテンプル本体長さ、各鼻パッドの上下位置、各鼻パッド
の開き角度、並びに左右の鼻パッドの間隔を測定し、これら設定値と共に、需要者の裸眼
を矯正すべく測定して得られたレンズの適切度数を製造元へ送信し、製造元で前記各設定
値と適切度数に基づき、眼鏡を作製した後、小売店へ配送し、小売店にて需要者に引き渡
すか、或いは、作製した眼鏡を需要者に直接配送して、引き渡す様にしたことを特徴とす
る眼鏡供給システム。
【請求項２】
小売店を無人の店舗とし、眼鏡フレーム設定値とレンズ適切度数を需要者自身に測定さ
せ、得られた値を電気的通信手段により製造元へ送信し、製造元で作製した眼鏡を需要者
に直接配送する様にしたことを特徴とする請求項１記載の眼鏡供給システム。
【発明の詳細な説明】
【技術分野】
【０００１】
本発明は、顧客の顔の形、矯正度数に応じて眼鏡を作製し、調整済の眼鏡を製造元から
小売店に供給したり、製造元から需要者に直接供給する眼鏡供給システムに関する。
【背景技術】
【０００２】
従来、眼鏡を供給するシステムとしては、製造元（工場）で眼鏡フレーム（本明細書に
おいては、フレームとテンプル、即ち眼鏡におけるレンズを除く部分を指称し、以下同じ
とする。）とレンズを作製し、これを小売店に配送し、小売店において、需要者の裸眼矯
正に適したレンズを眼鏡フレームに嵌着した後、需要者に眼鏡を掛けてもらい、顔の形に
フィットさせるべく、需要者の面前で鼻パッドやテンプル等各部を調整しては、また掛け
てもらい、掛け心地を確かめながら、これを繰り返してフィッテングをしていた。
【０００３】
研究開発段階や出願段階で先行技術調査を行っておらず、記載すべき先行技術文献を知
りません。
【発明の開示】
【発明が解決しようとする課題】
【０００４】
ところが、眼鏡のフィッテングには、高度な技能と熟練を要し、全国各地に存在する全
ての小売店に対し、充分な技能を有する熟練者を常駐させることは不可能で、そのため全
ての眼鏡について需要者が満足できるよう調整して供給することは困難であった。
又、眼鏡を需要者に引き渡す前に、必ずフッティングが必要であることから、掛け心地
良く調整された眼鏡を通信販売で供給することは出来なかった。
【課題を解決するための手段】
【０００５】
本発明は、上記課題に鑑み、小売店に眼鏡フレームの設定値の測定器具と、レンズ度数
の測定装置とを設置し、小売店にて、需要者の顔の形に眼鏡をフィットさせるべく、眼鏡
フレームの設定値として、左右の智の間隔、各テンプルとレンズ枠側縁部との成すテンプ
ル取付角度、各テンプルの智への取付け位置から耳掛部までのテンプル本体長さ、各鼻パ
ッドの上下位置、各鼻パッドの開き角度、並びに左右の鼻パッドの間隔を測定し、これら
設定値と共に、需要者の裸眼を矯正すべく測定して得られたレンズの適切度数を製造元へ
送信し、製造元で前記各設定値と適切度数に基づき、眼鏡を作製した後、小売店へ配送し
、小売店にて需要者に引き渡すか、或いは、作製した眼鏡を需要者に直接配送して、引き
渡すことによって、眼鏡フレームの調整を熟練者が常駐している製造元に集中させ、眼鏡
の調整品質を向上させる様にして、上記課題を解決する。
【発明の効果】
【０００６】
要するに本発明は、眼鏡のフィッテングに必要な情報を熟練者が常駐している製造元に
送信して、熟練者に調整させる様にしたので、供給する全ての眼鏡フレームを適切に調整
して、調整品質を向上させることが出来る。
又、眼鏡フレームの設定値と共に、レンズの適切度数も送信するので、眼鏡フレームに
レンズを嵌着して、製造元で眼鏡として完成させることが出来るだけでなく、小売店での
フィティングが不要であるため、小売店に調整技能を有する者を常駐させる必要がなく、
これにより人件費を削減して、流通コストを低く抑えることが出来る。
更に、製造元で完成した眼鏡を需要者に直接配送して、引き渡す様にすれば、需要者は
オーダー時に小売店を訪れれば、完成品を自宅で受け取ることが出来、小売店に再度足を
運ぶ煩わしさから開放され、また測定して得られた眼鏡作製に必要な情報の全てを記録し
ておけば、需要者はカタログ等から好みの眼鏡フレームを選択してオーダーするだけで、
適切に調整された眼鏡を得ることが出来、眼鏡の通信販売が可能である。
【０００７】
小売店を無人の店舗とし、小売店を無人の店舗とし、眼鏡フレーム設定値とレンズ適切
度数を需要者自身に測定させ、得られた値を電気的通信手段により製造元へ送信し、製造
元で作製した眼鏡を需要者に直接配送する様にしたので、眼鏡の調整品質を劣すことなく
、製造元から眼鏡を直販して、大幅に人件費を削減して、眼鏡販売価格の低下を図ること
が出来る等その実用的効果甚だ大である。
【発明を実施するための最良の形態】
【０００８】
以下本発明の一実施例を図面に基づいて説明する。
図１は本発明に係る眼鏡供給システムの流れ図であり、図１に示す様に、先ず、小売店
１にて、眼眼鏡フレームの設定値と、需要者２の裸眼を矯正するのに適したレンズ度数を
測定する。
設定値とは、需要者２の顔の形に眼鏡をフィットさせるべく、眼鏡フレームを調整する
のに必要な値で、眼鏡フレームの左右の智の間隔、各テンプルとレンズ枠側縁部との成す
テンプル取付角度、各テンプルの智への取付け位置から耳掛部までのテンプル本体長さ、
各鼻パッドの上下位置、各鼻パッドの開き角度、並びに左右の鼻パッドの間隔のことであ
る。
【０００９】
次に、測定した設定値と適切度数を眼鏡フレームとレンズを製造している製造元３へ送
信し、眼鏡フレームに適切レンズを嵌着した後、上記設定値に基づき、眼鏡フレームの各
部を調整して、眼鏡を作製し完成させる。
そして、作製した眼鏡を小売店１へ配送し、小売店１にて需要者２に引き渡すか、或い
は、需要者２に直接配送して、引き渡す。
【００１０】
眼鏡フレームの設定値と、レンズ度数の測定は、設定値の測定器具４、並びにレンズ度
数の測定装置５を小売店１に設置し、小売店１の店員に測定させれば良い。
又、測定器具４と測定装置５を無人の店舗に設置し、設定値とレンズ度数を需要者２自
身に測定させ、得られた値を電気的通信手段により製造元３へ送信し、製造元３で作製し
た眼鏡を需要者２に直接配送する様にしても良い。
【００１１】
レンズ度数の測定装置５は、従前から眼鏡の小売店１に設置されているものと同じもの
を用いれば良い。
又、眼鏡フレームの設定値の測定器具４としては、例えば、眼鏡フレームに、左右智の
間隔の調節手段と智間隔の表示手段、各テンプルとレンズ枠側縁部との成すテンプル取付
角度の調節手段と取付角度の表示手段、各テンプルの智への取付け位置から耳掛部までの
テンプル本体長さの調節手段とテンプル本体長さの表示手段、各鼻パットの上下位置の調
節手段と上下位置の表示手段、各鼻パッドの開き角度の調節手段と開き角度の表示手段、
並びに左右の鼻パットの間隔の調節手段と鼻パット間隔の表示手段を設け、かかる測定器
具４を需要者２に掛けてもらい、測定器具４が需要者２の顔の形にフイットする様に各調
節手段を調整して、各表示手段に示された値を読み取る様にすれば良い。
【００１２】
因みに、智間隔の調節手段としては、眼鏡フレームのブローバーにガイド溝を刻設し、
該ガイド溝に竿体を挿嵌し、該竿体の突出側端部に智を設ければ良く、智間隔の表示手段
としては、ガイド溝の開口脇に間隔表示目盛りを設け、上記竿体に間隔指針を設ければ良
い。
【００１３】
テンプル取付角度の調節手段としては、智に補助板を枢着し、該補助板は長靴を横倒し
た様な形とし、靴底爪先側を智のヒンジ部揺動側に固着し、補助板の踵部には棒状のテン
プル本体を縦方向に対し揺動自在に取付ければ良く、テンプル取付角度の表示手段として
は、補助板に角度表示目盛りを設け、テンプル本体に角度指針を設ければ良い。
【００１４】
テンプル本体長さの調節手段としては、テンプル本体にその長さ方向に対し摺動自在に
耳掛部を取付ければ良く、テンプル本体長さの表示手段としては、テンプル本体に長さ目
盛りを設け、耳掛部の先端に長さ指針を設ければ良い。
【００１５】
鼻パットの上下位置の調節手段としては、鼻パットセットを形成し、該鼻パットセット
は、基部の上部に所定長さの取付棒を立設する一方、基部の下部には脚部を介して左右の
鼻パットを取付け、そして、ブローバーの中央部に取付孔を縦方向に貫設し、該取付孔に
下方側から前記取付棒を挿嵌し、該取付棒の固定手段をブローバーに設ければ良く、上下
位置の表示手段としては、ブローバーに表示板を立設し、該表示板に上下位置目盛りを設
け、取付棒上端を指針とすれば良い。
【００１６】
鼻パッドの開き角度の調節手段としては、開き角度の異なる複数の鼻パットセットを形
成し、鼻パットセットを付け替えることで、開き角度の表示手段とすれば良い。
【００１７】
左右の鼻パットの間隔の調節手段としては、鼻パットセットの基部に右螺旋と左螺旋に
よる直線運動機構を設け、当該機構により互いに反対方向に進退する２個のナットに左右
の鼻パットを夫々固着すれば良い。
右螺旋と左螺旋による直線運動機構とは、棒体の一端側に右螺旋を刻み、他端側に左螺
旋を刻んだ螺旋体に一端側ナットと他端側ナットを螺合し、かかる両ナットをガイドレー
ルに摺動自在に嵌着し、螺旋体の回転によって、両ナットが互いに反対方向に進退する様
にしたものである。
そして、鼻パット間隔の表示手段としては、ガイドレールの開口脇に鼻パット間隔目盛
りを設け、鼻パットの脚部を指針とすれば良い。
【図面の簡単な説明】
【００１８】
【図１】本発明に係る眼鏡供給システムの流れ図である。
【符号の説明】
【００１９】
１  小売店
２  需要者
３  製造元
４  眼鏡フレームの設定値の測定器具
５  レンズ度数の測定装置
【図１】
2006113425.tif 000003